(57)【要約】【課題】費用の発生を抑えながら、建物内部の美観を確保できるプレハブ建物の施工方法を提供する。【解決手段】既設のプレハブ建物１０ａを解体して、別の場所で再組立をして新設のプレハブ建物１０とするプレハブ建物１０の施工方法において、既設のプレハブ建物１０ａで用いられていた壁パネル２１を、新設のプレハブ建物１０において、孔を含む部分を除去したうえで床パネル２３として敷設する。この施工方法により、美観を失ったパネルの再利用ができる。このため、全て新たに壁パネル２１を購入する場合と比較して、新しい壁パネル２１の購入数を少なくできる。また、消耗が激しい床パネル２３の購入頻度を少なくでき、プレハブ建物１０の維持費用を抑制することができる。【選択図】図１
2019039161.tif 000002
【特許請求の範囲】
【請求項１】
既設のプレハブ建物を解体して、別の場所で再組立をして新設のプレハブ建物とするプレハブ建物の施工方法であって、
前記既設のプレハブ建物で用いられていた壁パネルを、
前記新設のプレハブ建物において床パネルとして敷設する、
ことを特徴とするプレハブ建物の施工方法。
【請求項２】
前記床パネルは、前記壁パネルとしての使用中に形成されていた孔を含む部分を除去する切断工程を経て、前記新設のプレハブ建物の床に敷設される、
ことを特徴とする請求項１記載のプレハブ建物の施工方法。
【請求項３】
床パネルが敷設されているプレハブ建物であって、
前記床パネルが、
前記プレハブ建物が建築される以前のプレハブ建物の壁パネルとして使用されていたものである、
ことを特徴とするプレハブ建物。
【請求項４】
前記床パネルは、床用梁の上に敷設されたデッキプレート上に敷設されており、
前記床パネルの長手方向と、前記デッキプレートの長手方向とは平面視で直交しており、
前記デッキプレート同士の長手方向への接続は、接続金具で行われている、
ことを特徴とする請求項３記載のプレハブ建物。
【請求項５】
前記床パネルの上には、カーペットが敷設されている、
ことを特徴とする請求項３または４記載のプレハブ建物。
【請求項６】
前記床パネルの長手方向への一方の端部が、該床パネルの短手方向に隣接している別の床パネルの長手方向への一方の端部を含む直線と異なる位置に配置され、
前記互いに隣接する床パネルの前記２つの端部の両方が、１つの前記デッキプレート上に位置している、
ことを特徴とする請求項４または５記載のプレハブ建物。
【請求項７】
前記床パネルと垂直に壁パネルが設けられ、
前記壁パネルの端部は、平面視Ｉ型の柱体の凹部に嵌め込まれ、
前記床パネルと前記壁パネルとの間には、前記床パネルの端部を隠す被覆部材が設けられ、
前記被覆部材の引掛り部が、前記柱体の凹部に挿入されている、
ことを特徴とする請求項３から６のいずれかに記載のプレハブ建物。
【発明の詳細な説明】
【技術分野】
【０００１】
本発明は、プレハブ建物の施工方法およびプレハブ建物に関する。さらに詳しくは、内部に床パネルが敷設されるプレハブ建物の施工方法およびプレハブ建物に関する。
【背景技術】
【０００２】
一般社団法人プレハブ建築協会では、「プレハブ住宅は、工場で柱・梁・屋根トラス・床・壁などの住宅構造体を生産し、それを建築現場で組み立てるシステムによって建築される住宅」とされている。このようなプレハブ住宅を含むプレハブ建物は、工期の大幅な短縮が実現できることから、一般の住宅だけでなく、工事現場での仮設の事務所や、災害地での仮設住宅などでも多く使用されている。
【０００３】
プレハブ建物では、特許文献１に記載されている、デッキプレートと床板（床パネル）とで構成される複合床パネルが用いられることが多い。また、壁もこの床パネルと同じような壁パネルが用いられていることが多い。
【先行技術文献】
【特許文献】
【０００４】
【特許文献１】特開２００１−３４８９９３号公報
【発明の概要】
【発明が解決しようとする課題】
【０００５】
しかし、プレハブ建物が工事現場の仮設の事務所として用いられた場合、壁パネルには配線や水道、燃料管、煙突を通す孔が設けられる。そのため一度仮設の事務所を解体して、再度他の現場でプレハブ建物が建てられた場合、壁パネルには以前の現場で設けられていた孔が残存し、そのままでは、壁パネルの機能を果たし難い。そこで、これらの孔を塞ぐ手立てを行うこととなるが、そうしても孔の部分を見栄えよくすることは困難であり、プレハブ建物内部の美観を損ねるという問題がある。
これに対し、一度仮設の事務所で利用した壁パネルを廃棄し、全ての壁パネルを新たに購入すると、美観は確保されるがプレハブ建物の費用が大きくなるという問題がある。
【０００６】
本発明は上記事情に鑑み、費用の発生を抑えながら、建物内部の美観を確保できるプレハブ建物の施工方法およびプレハブ建物を提供することを目的とする。
【課題を解決するための手段】
【０００７】
第１発明のプレハブ建物の施工方法は、既設のプレハブ建物を解体して、別の場所で再組立をして新設のプレハブ建物とするプレハブ建物の施工方法であって、前記既設のプレハブ建物で用いられていた壁パネルを、前記新設のプレハブ建物において床パネルとして敷設することを特徴とする。
第２発明のプレハブ建物の施工方法は、前記床パネルは、前記壁パネルとしての使用中に形成されていた孔を含む部分を除去する切断工程を経て、前記新設のプレハブ建物の床に敷設されることを特徴とする。
第３発明のプレハブ建物は、床パネルが敷設されているプレハブ建物であって、前記床パネルが、前記プレハブ建物が建築される以前のプレハブ建物の壁パネルとして使用されていたものであることを特徴とする。
第４発明のプレハブ建物は、第３発明において、前記床パネルは、床用梁の上に敷設されたデッキプレート上に敷設されており、前記床パネルの長手方向と、前記デッキプレートの長手方向とは平面視で直交しており、前記デッキプレート同士の長手方向への接続は、接続金具で行われていることを特徴とする。
第５発明のプレハブ建物は、第３発明または第４発明において、前記床パネルの上には、カーペットが敷設されていることを特徴とする。
第６発明のプレハブ建物は、第４発明または第５発明において、前記床パネルの長手方向への一方の端部が、該床パネルの短手方向に隣接している別の床パネルの長手方向への一方の端部を含む直線と異なる位置に配置され、前記互いに隣接する床パネルの前記２つの端部の両方が、１つの前記デッキプレート上に位置していることを特徴とする。
第７発明のプレハブ建物は、第３発明から第６発明のいずれかにおいて、前記床パネルと垂直に壁パネルが設けられ、前記壁パネルの端部は、平面視Ｉ型の柱体の凹部に嵌め込まれ、前記床パネルと前記壁パネルとの間には、前記床パネルの端部を隠す被覆部材が設けられ、前記被覆部材の引掛り部が、前記柱体の凹部に挿入されていることを特徴とする。
【発明の効果】
【０００８】
第１発明によれば、既設のプレハブ建物で用いられた壁パネルを、新設のプレハブ建物において床パネルとして敷設することにより、美観を失ったパネルの再利用ができる。このため、壁パネルをすべて新たに購入する場合と比較して、新しい壁パネルの購入数を少なくできる。また、消耗が激しい床パネルの購入頻度を少なくでき、プレハブ建物の維持費用を抑制することができる。
第２発明によれば、床パネルが、壁パネルとしての使用中に形成されていた孔を含む部分を除去したうえで、新設のプレハブ建物の床に敷設されることにより、新設のプレハブ建物の床パネルに孔が存在せず、机の脚が落ち込んだり、使用者が孔に足を取られたりすることがなくなる。
第３発明によれば、床パネルが、以前のプレハブ建物の壁パネルで使用されていたことにより、美観を失ったパネルの再利用ができる。このため、壁パネルをすべて新しくする場合と比較して、新しい壁パネルの購入数を少なくできる。また、以前のプレハブ建物で孔が設けられていた壁パネルを床パネルとして用いるので、消耗が激しい床パネルの購入頻度を少なくでき、プレハブ建物の維持費用を抑制することができる。
第４発明によれば、デッキプレート同士の長手方向への接続が接続金具で行われていることにより、複数枚のデッキプレートが一体に連結された状態となるので、デッキプレート全体を床用梁に溶接等で固定しなくとも建物内で動くことなく安定した状態に設置できる。このため、プレハブ建物の組立作業および解体作業の作業内容を軽減できる。
第５発明によれば、床パネルの上にカーペットが敷設されていることにより、床パネルの補修の跡などを隠すことができ、プレハブ建物内部の美観を保持することが容易になる。
第６発明によれば、床パネルの長手方向への一方の端部と、短手方向に隣接している別の床パネルの長手方向への一方の端部が、いわゆる千鳥状配置にされる。このため、耐久性が比較的低い端部が分散配置される点で、プレハブ建物全体の耐久性が向上する。また、互いに隣接する床パネルの２つの端部が１つのデッキプレート上に位置し、荷重が異なるデッキプレートに付加されることがなくなり、デッキプレート間の位置のずれが生じることを防止できる点でも、プレハブ建物全体の耐久性が向上する。
第７発明によれば、床パネルと壁パネルとの間の被覆部材の引掛り部が、柱体の凹部に挿入されていることにより、簡易な構造で被覆部材の位置決めができ、使用中にズレが生じることがない。
【図面の簡単な説明】
【０００９】
【図１】本発明に係るプレハブ建物の施工方法の説明図である。
【図２】本発明に係るプレハブ建物の床用梁の構成の説明図である。
【図３】図２のプレハブ建物のデッキプレート敷設状態の第１説明図である。
【図４】図２のプレハブ建物のデッキプレート敷設状態の第２説明図である。
【図５】図２のプレハブ建物の床パネル敷設状態の説明図である。
【図６】図２のプレハブ建物の床周辺の正面図である。
【図７】図２のプレハブ建物の壁部分の平面断面図である。
【図８】図２のプレハブ建物を構成する被覆部材の三面図である。
【発明を実施するための形態】
【００１０】
つぎに、本発明の実施形態を図面に基づき説明する。ただし、以下に示す実施の形態は、本発明の技術思想を具体化するためのプレハブ建物の施工方法およびプレハブ建物を例示するものであって、本発明はプレハブ建物の施工方法およびプレハブ建物を以下のものに限定しない。なお、各図面が示す部材の大きさや位置関係等は、説明を明確にするため誇張していることがある。さらに以下の説明において、同一の名称、符号については同一もしくは同質の部材を示しており、詳細説明を適宜省略する。加えて、同じ名称の部材が複数描かれている場合は、符号はそのうちのいくつかを選択的に示す場合がある。
【００１１】
（プレハブ建物１０の施工方法）
図１は本発明に係るプレハブ建物１０の施工方法の説明図である。図１の紙面の上側は、特許請求の範囲に記載の既設のプレハブ建物１０ａであり、図１の紙面の下側は、請求の範囲に記載の新設のプレハブ建物１０である。図１の上下の図は、それぞれ、２つの壁面と床面とにより形成されている隅角部を示したものであり、屋根などは省略し、建物の内面のみを示している。
【００１２】
プレハブ建物１０（１０ａ）は、例えば現場事務所などに使用される建物であり、プレハブ建物１０（１０ａ）の壁面は、複数の柱体２２とこれら複数の柱体２２との間に差し込んだ複数枚の壁パネル２１とから構成されている。また、壁パネル２１には、電線や水道管、燃料管、煙突などを引き込むための設備用孔２１ａが適宜設けられている。この設備用孔２１ａは、プレハブ建物１０（１０ａ）の設置場所や用途により設けられる場所や個数が異なる。
【００１３】
プレハブ建物１０（１０ａ）の床面は、床面パネル２３が敷設されており、その上にはカーペット２４が敷設されている。なお、図には示されていないが、床パネル２３の下面にはデッキプレート３５が存在し、かつその下面には床用梁３１が存在する。
【００１４】
本発明に係るプレハブ建物１０の施工方法は、既設のプレハブ建物１０ａを解体して、別の場所で再組立をして新設のプレハブ建物１０とするプレハブ建物の施工方法を対象にしている。このプレハブ建物１０の施工方法において、既設のプレハブ建物１０ａで用いられていた壁パネル２１を、新設のプレハブ建物１０において床パネル２３として敷設することを特徴としている。
【００１５】
ここで新設のプレハブ建物１０は、既設のプレハブ建物１０ａの全てを解体して、その構成部品のほとんどを使用して、同等の大きさのものとして建築されたものだけでなく、既設のプレハブ建物１０ａとは大きさが異なるプレハブ建物１０とする場合も含む。
【００１６】
また、設備用孔２１ａなどの孔が設けられている壁パネル２１は、この形成されていた孔を含む部分を除去する切断工程を経て、新設のプレハブ建物１０の床に敷設されることが好ましい。壁パネル２１は薄板鋼板を外板に用いた構成であり、切断工具で容易に切断することができる。切断された壁パネル２１に対して、洗浄や塗装が行なわれることもある。図１の中段には、切断する壁パネル２１を示しており、孔が含まれていない部分が床パネル２３として敷設される。なお、壁パネル２１が切断工程を経る場合について説明したが、壁パネル２１が補修工程を経て、設備用孔２１ａを塞ぎ、床パネル２３として敷設される場合もある。
【００１７】
既設のプレハブ建物１０ａで用いられた壁パネル２１を、新設のプレハブ建物１０において床パネル２３として敷設することにより、孔が開いて美観を失ったパネルの再利用ができる。このため、壁パネル２１をすべて新たに購入する場合と比較して、新しい壁パネル２１の購入数を少なくできる。また、消耗が激しい床パネル２３の購入頻度を少なくでき、プレハブ建物１０の維持費用を抑制することができる。
【００１８】
新しいプレハブ建物１０に敷設された床パネル２３は、壁パネル２１としての使用中に形成されていた孔を含む部分を除去したうえで、新設のプレハブ建物１０の床に敷設されることにより、新設のプレハブ建物１０の床パネルに孔が存在せず、新設のプレハブ建物１０で机の脚が落ち込んだり、使用者が孔に足を取られたりすることがなくなる。
【００１９】
（プレハブ建物１０の床部分の構成）
図２は、本発明に係るプレハブ建物１０の床用梁３１の構成の説明図である。図２は、平面図であり、床パネル２３や、後で説明するデッキプレート３５が敷設される前の床用梁３１の組立後の状態を示している。
【００２０】
図２に示すように、プレハブ建物１０の床面を構築する場合、最初に同じ長さの床用梁３１が５本平行に並べられ、これらが地面に固定される。なお、部屋の大きさに合わせ床用梁３１は４本以下でもよく、６本以上でもよい。床用梁３１は、２階以上で用いられるときは、両岸が柱体２２等に固定され、両持ちで使用される。１階用に用いられる場合は、両持ち支持に加え、中間部分も適宜脚で支持される。
図２では、床用梁３１の長手方向が、紙面上左右になるように描かれており、これらの床用梁３１同士の間隔は、同じ長さである。床用梁３１の間には、複数の結合用鉄筋３２が設けられ、強度が高められている。
【００２１】
図３は本発明に係るプレハブ建物１０のデッキプレート３５の敷設状態の第１説明図、図４はその第２説明図である。また図６は、プレハブ建物の床周辺の正面図である。図３および図４は、図２のように構成された床用梁３１の上にデッキプレート３５が敷設された状態の平面図であり、図３の紙面の下部分は、デッキプレート３５を省略して、床用梁３１が見える状態を描いている。
【００２２】
図３のデッキプレート３５は、デッキプレート３５にある上フランジ３７（図６参照、本実施形態では１枚のデッキプレート３５に２つの上フランジ３７が設けられている）の中央部分を中心線（１点鎖線）として描いている。これに対し、図４では、その中心線を描いておらず、その代わりに全てのデッキプレート３５に符号を記載している。各デッキプレート３５の符号は、図４の紙面の上側に位置するように描き、各々のデッキプレート３５が区別しやすいように、長手方向に互いに隣接するデッキプレート３５を異なる模様で描いている。また、図６は、本発明に係るプレハブ建物１０を図３の紙面の下から見た、正面図である。
【００２３】
デッキプレート３５は、図６に示すように、金属板を平行に上下交互に折り返して形成された形状をしており、上側の部材に接するための平坦面である上フランジ３７と、下側の部材に接するための平坦面である下フランジ３８とが交互に形成されている。また、デッキプレート３５の端部は、下フランジ３８に位置し、隣接するデッキプレート３５との位置関係を規定するための係合部３９が設けられている。
【００２４】
本実施形態では２つの上フランジ３７を有している。またデッキプレート３５は、図３および図４に示すように、平面方向から見ると長方形をしており、図４に示すように、長手方向の長さは、２本の床用梁３１の間隔と同じものと、ほぼ２倍のものの２種類がある。
【００２５】
本実施形態では、床用梁３１の長手方向とデッキプレート３５の長手方向とが直交するように、デッキプレート３５が敷設されている。また、デッキプレート３５は、長手方向において千鳥配置になっている。すなわち、デッキプレート３５の長手方向の一方の端部（例えば図４の紙面上一番左端に配置されたデッキプレート３５の端部３５ａ）が、短手方向で互いに隣接しているデッキプレート３５の長手方向の一方の端部（例えば図４の紙面上左端から２番目に配置されたデッキプレート３５の端部３５ｂ）を含む直線と異なる位置に配置されている。
ただし、デッキプレート３５の端部は全て、床用梁３１の上に位置している。
【００２６】
本実施形態では、デッキプレート３５同士の、長手方向の接続は、ボルトなどを用いた任意の接続金具３６で行われている（図４参照）。また短手方向は、デッキプレート３５の下フランジ部分における係合部３９をかみ合わせる（図６参照）ことで位置決めされている。
【００２７】
複数のデッキプレート３５同士の長手方向への接続が、接続金具３６で行われていることと、短手方向の接続が係合部３９で行われていることにより、複数枚のデッキプレート３５が一体に連結された状態となる。このため、デッキプレート３５全体を床用梁に溶接等で固定しなくとも建物内で動くことなく安定した状態に設置できる。このため、従来技術のようにデッキプレート３５を床用梁３１に溶接等で固定しなくてよいのでプレハブ建物１０の組立作業を容易にできる。また解体作業に当たって溶接部分のハツリ作業も不要になるので解体作業を容易にできる。
【００２８】
図５は、本発明に係るプレハブ建物１０の床パネル２３敷設状態の説明図である。既述したように、この床パネル２３は補修した、元の壁パネル２１である。図５は、図３のように構成されたデッキプレート３５の上に床パネル２３が敷設された状態の平面図であり、床パネル２３の長手方向の端部と、デッキプレート３５の上フランジの位置関係を示すために、図５の紙面の左側下部分に雲形状で床パネル２３を透過した状態を示している。
【００２９】
本実施形態では、床パネル２３の長手方向は、図５に示すように、２本の床用梁３１の間隔と同じもの２３Ｌと、それよりも短い２種類の長さのもの２３Ｓ１、２３Ｓ２がある。これらの２３Ｓ１と２３Ｓ２は、壁パネル２１として使用中に形成されていた孔である設備用孔２１ａを含む部分を除去する切断工程を経て得られたものである場合がある。床パネル２３の長手方向と、デッキプレート３５の長手方向とは直交している。そして、床パネル２３を敷設する際に、床パネル２３の端部が、デッキプレート３５の上フランジ３７の上に位置するようにするとともに、短手方向で互いに隣接する床パネル２３の端部同士が、一直線上に並ばないようにする。
【００３０】
すなわち、床パネル２３の長手方向の一方の端部（例えば図５の紙面において一番上の列の左部分に位置する端部２３ａ）が、その床パネル２３の短手方向に隣接している別の床パネル２３の長手方向への一方の端部（例えば図５の紙面において上から二番目の列の左部分に位置する端部２３ｂ）を含む直線と異なる位置に配置されている、すなわち床パネル２３の長手方向にズレた位置に配置されている。そして、これらの端部２３ａ、２３ｂが、１つのデッキプレート３５が有する２つの上フランジ３７上にそれぞれ位置している（図５中のＸ部分参照）。
【００３１】
上記のように、床パネル２３の長手方向への一方の端部が、短手方向に隣接している別の床パネル２３の長手方向への一方の端部に対しズレた位置に配置され、互いに隣接する前記床パネル２３の前記２つの端部の両方が、１つのデッキプレート３５上に位置していることにより、床パネル２３の端部が一直線に配置されることがなく、いわゆる千鳥状配置が実現できる。
上記のような千鳥状配置を実現するため、床パネル２３の短手方向において、短い長さのもののうち比較的短いもの２３Ｓ１と、短い長さのもののうち比較的長い物２３Ｓ２は交互に配置されている。このような千鳥状配置をとると、耐久性が比較的低い端部が分散配置される点で、プレハブ建物１０全体の耐久性が向上する。また、互いに隣接する床パネル２３の二つの端部が１つのデッキプレート３５上に位置し、荷重が異なるデッキプレート３５に付加されることがなくなり、デッキプレート３５間の位置のずれが生じることを防止できる点で、プレハブ建物１０全体の耐久性が向上する。
【００３２】
図６で示すように、本発明に係るプレハブ建物１０は、床パネル２３の上にカーペット２４が敷設されている。床パネル２３の上にカーペット２４が敷設されていることにより、床パネル２３の補修の跡などを隠すことができ、さらに、人が歩いたときの圧力を減少できるので、プレハブ建物１０内部の美観を保持することが容易になり耐久性も向上する。なお、防音等の効果を有することはもちろんである。
【００３３】
図７には、本実施形態のプレハブ建物１０の壁部分の平面断面図を、図８にはこのプレハブ建物１０を構成する被覆部材の三面図を示す。図７は、柱体２２に壁パネル２１が挿入されたあと、２つある壁パネル２１の一方に被覆部材２５が設けられた状態を示している。図８（Ａ）は被覆部材２５の平面図、図８（Ｂ）は被覆部材の側面図、図８（Ｃ）は被覆部材の正面図である。
【００３４】
本実施形態のプレハブ建物１０の壁部は、柱体２２と壁パネル２１とをから構成されている。柱体２２の水平面での断面形状は、図７に示すように略Ｈ形を横にした形状であり、Ｈ形を横にした形状の両サイドに位置している凹部に、壁パネル２１の端部が嵌め込まれることで柱体２２に対して壁パネル２１の位置が決定されている。
【００３５】
本実施形態では、鉛直面である壁パネル２１に対して床パネル２３の端部が接しないように、壁パネル２１と床パネル２３との間には余裕代としての空間が設けられている（図６の符号ｇ参照）。そして空間を隠すために被覆部材２５が設けられている。被覆部材２５は薄板鋼板であり、防錆のための表面処理が施されている。
【００３６】
被覆部材２５は、床パネル２３と接する被覆部２５ａと、この被覆部２５ａと垂直に設けられている補助部２５ｂとを含んで構成されている。そして、柱体２２を避けるために被覆部２５ａの端部には切欠き部２５ｄが設けられている。また補助部２５ｂの端部は、柱体２２の凹部に挿入されるように引掛り部２５ｃを形成している。プレハブ建物１０を組み立てる際には、作業者は、この引掛り部２５ｃを、柱体２２の凹部に差し込むことで、被覆部材２５を固定できる。
【００３７】
被覆部材２５を床パネル２３と壁パネル２１との間に設置し、引掛り部２５ｃを柱体２２の凹部に挿入すると被覆部材２５を位置決めできる。そして、この被覆部材２５の被覆部２５ａが、隙間ｇを埋めるので、室内を美しくできる。
【００３８】
本実施形態のプレハブ建物１０の施工方法によれば、既設のプレハブ建物１０ａで用いられた壁パネル２１を、新設のプレハブ建物１０において床パネル２３として敷設することにより、美観を失ったパネルの再利用ができる。このため、新しい壁パネル２１の購入数を少なくできる。また、消耗が激しい床パネル２３の購入頻度を少なくでき、プレハブ建物１０の維持費用を抑制することができる。
【符号の説明】
【００３９】
１０  プレハブ建物（新設）
１０ａ  プレハブ建物（既設）
２１  壁パネル
２２  柱体
２３  床パネル
２４  カーペット
２５  被覆部材
３１  床用梁
３５  デッキプレート
３６  接続金具
【図１】
2019039161.tif 000003
【図２】
2019039161.tif 000004
【図３】
2019039161.tif 000005
【図４】
2019039161.tif 000006
【図５】
2019039161.tif 000007
【図６】
2019039161.tif 000008
【図７】
2019039161.tif 000009
【図８】
2019039161.tif 000010